【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
複数の画像ファイルの画像を表示手段に表示するように制御する画像再生装置であって、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定手段と、
前記判定手段で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御手段と、
を有することを特徴とする画像再生装置。
【請求項２】
前記レジューム情報に基づかずに特定される画像は、前記動画像ファイルのサムネイル画像であることを特徴とする請求項１に記載の画像再生装置。
【請求項３】
前記レジューム情報に基づかずに特定される画像は、前記動画像ファイルの先頭フレームの画像であることを特徴とする請求項１に記載の画像再生装置。
【請求項４】
前記レジューム情報に基づかずに特定される画像は、前記動画像ファイルの代表画像として記録されている画像であることを特徴とする請求項１乃至３の何れか１項に記載の画像再生装置。
【請求項５】
前記表示制御手段は、前記表示手段に、前記レジューム情報のある動画像ファイルの、該レジューム情報に基づかずに特定される画像が表示されているとき、前記連続送り操作が解除されると、前記表示手段の表示を、該動画像ファイル内の、該レジューム情報によって特定される画像に切り替えるように制御することを特徴とする請求項１乃至４の何れか１項に記載の画像再生装置。
【請求項６】
前記表示制御手段は、前記表示手段に前記レジューム情報のある動画像ファイルの、該レジューム情報に基づかずに特定される画像が表示されているとき、ユーザからの操作に応じて、前記表示手段の表示を、該動画像ファイル内の、該レジューム情報によって特定される画像に切り替えるように制御することを特徴とする請求項１乃至４の何れか１項に記載の画像再生装置。
【請求項７】
前記判定手段は、単一の操作部材に対して行われる操作方法の違いで前記個別送り操作と、前記連続送り操作の何れかが行われたか否かを判定することを特徴とする請求項１乃至６の何れか１項に記載の画像再生装置。
【請求項８】
前記判定手段は、前記表示手段の表示が切り替えられる際に、切り替えの前から継続して前記単一の操作部材が操作されている場合に、前記連続送り操作であると判定することを特徴とする請求項７に記載の画像再生装置。
【請求項９】
前記表示制御手段は、前記動画像ファイル内の、前記レジューム位置の情報によって特定される画像が前記表示手段に表示されている際に、前記動画像ファイルの前記レジューム情報が示す位置を表すバーを、同時に表示するように制御することを特徴とする請求項１乃至８の何れか１項に記載の画像再生装置。
【請求項１０】
前記複数の画像ファイルは、動画像ファイルと静止画像ファイルとを含むことを特徴とする請求項１乃至９のいずれか１項に記載の画像再生装置。
【請求項１１】
複数の画像ファイルの画像を表示手段に表示するように制御する画像再生装置の制御方法であって、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定ステップと、
前記判定工程で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御ステップと、
を有することを特徴とする画像再生装置の制御方法。
【請求項１２】
複数の画像ファイルの画像を表示手段に表示するように制御するコンピュータを、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定手段と、
前記判定手段で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御手段と、
として機能させるためのプログラム。
【請求項１３】
複数の画像ファイルの画像を表示手段に表示するように制御するコンピュータを、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定手段と、
前記判定手段で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御手段と、
として機能させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像再生装置、画像再生装置の制御方法、プログラム、及び記録媒体
【手続補正３】
【補正対象書類名】明細書
【補正対象項目名】０００４
【補正方法】変更
【補正の内容】
【０００４】
したがって、本発明の目的は、動画像ファイルの検索が容易な動画像ファイルの再生装置及びその制御方法を提供することにある。
【手続補正４】
【補正対象書類名】明細書
【補正対象項目名】０００５
【補正方法】変更
【補正の内容】
【０００５】
上記の目的を達成するため、本願の実施形態に係る画像再生装置は、
複数の画像ファイルの画像を表示手段に表示するように制御する画像再生装置であって、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定手段と、
前記判定手段で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御手段と、
を有することを特徴とする。
【手続補正５】
【補正対象書類名】明細書
【補正対象項目名】０００６
【補正方法】変更
【補正の内容】
【０００６】
上記の目的を達成するため、本願の他の実施形態に係る画像再生装置の制御方法は、
複数の画像ファイルの画像を表示手段に表示するように制御する画像再生装置の制御方法であって、
前記表示手段の表示を、表示されている画像ファイルの画像から他の画像ファイルの画像に切り替える個別送り操作と、前記表示手段の表示を、表示されている画像ファイルの画像から他の画像ファイルの画像に連続的に切り替える連続送り操作のうち、何れかが行われたか否かを判定する判定ステップと、
前記判定工程で前記個別送り操作が行われたと判定されたとき、前記表示手段に表示される前記他の画像ファイルが、以前に再生を中断した位置を示すレジューム情報のある動画像ファイルである場合に、該動画像ファイル内の、前記レジューム情報によって特定される画像を前記表示手段に表示し、
前記判定手段で前記連続送り操作が行われたと判定されたとき、前記表示手段に表示される前記他の画像ファイルが、前記レジューム情報のある動画像ファイルである場合にも、該動画像ファイルの、前記レジューム情報に基づかずに特定される画像を前記表示手段に表示するように制御する表示制御ステップと、
を有することを特徴とする。
【手続補正６】
【補正対象書類名】明細書
【補正対象項目名】００４７
【補正方法】変更
【補正の内容】
【００４７】
図２のフローチャート図においては、操作部７０に備えられる「動画像ファイル送りボタン」が押されることで処理が開始される。まず、ステップＳ２０１で、動画像ファイルが連続で送られている状態の動画像ファイル連続送りモードか、又は、動画像ファイルが一つずつ送られる動画像ファイル個別送りモードかを判定する。そして、動画像ファイル連続送りモードであった場合にはステップＳ２０２に進み、その動画像ファイルの代表画像データを再生し、画像表示部２８に表示する。
【手続補正７】
【補正対象書類名】明細書
【補正対象項目名】００４８
【補正方法】変更
【補正の内容】
【００４８】
動画像ファイル連続送りモードとは、たとえば、次の動画像ファイルが表示されていても「動画像ファイル送りボタン」が継続して押下されることで設定される。また、その後ステップＳ２０３で「動画像ファイル送りボタン」が押下されているかどうかを検知し、「動画像ファイル送りボタン」が押下されていることを検知したら、まだ動画像ファイル連続送りモードであると判断する。そして、ステップＳ２０２に戻り、次の動画像ファイルの代表画像データを再生し、画像表示部２８に表示する。
【手続補正８】
【補正対象書類名】図面
【補正対象項目名】図２
【補正方法】変更
【補正の内容】
【図２】
2008066802.tif 000001